(57)【要約】【課題】本体ボデーの構造を簡素化して所要コストを低コストとすることができ、また本体ボデーを小型化し得て設置施工も容易に行うことのできる湯水混合水栓を提供する。【解決手段】弁ケース６４の内部に混合弁体７４を収めた混合弁ユニット６２と、混合弁ユニット６２を内部に収容する本体ボデー５８とを備えて湯水混合水栓を構成する。その本体ボデー５８は、円筒状をなし、混合弁ユニット６２を軸方向に挿入させてこれを内嵌状態に保持し、また湯水の混合室７０及び混合水の流出路７２を内部に形成するユニット挿入筒部６０と、その両外側に位置し、内部に水流入路１１４，湯流入路１１６を形成する水流入筒部１１０及び湯流入筒部１１２を一体に有するものとするとともに、本体ボデー５８には、水流入路１１４と水流入口６６とを連通させる水側接続路１３２及び湯流入路１１６と湯流入口６８とを連通させる湯側接続路１３６とを筒壁を貫通して設けておく。【選択図】        図２
2014145432.tif 000002
【特許請求の範囲】
【請求項１】
(ａ)円筒状の弁ケースの内部に混合弁体を収め、軸方向の異なった位置で該弁ケースに設けた水流入口と湯流入口とを、該混合弁体の移動により大小逆の関係で開度変化させて湯水の混合比率を変化させる混合弁ユニットと、
(ｂ)該混合弁ユニットを内部に収容する本体ボデーと、を備えて成り、
前記本体ボデーは、円筒状をなし、前記混合弁ユニットを軸方向に挿入させて該混合弁ユニットを内嵌状態に内部に保持するとともに、湯水の混合室及び混合水の流出路を内部に形成するユニット挿入筒部と、該ユニット挿入筒部を間にしてその両外側で該ユニット挿入筒部の軸方向と交差方向にそれぞれ延び、内部に水流入路を形成する水流入筒部と、内部に湯流入路を形成する湯流入筒部と、を一体に有するものとなし、
前記本体ボデーには、一端が前記水流入路で開口し、他端が前記水流入口の位置において前記ユニット挿入筒部で開口した水側接続路を、前記水流入筒部及び該ユニット挿入筒部の筒壁を貫通して設け、
また、一端が前記湯流入路で開口し、他端が前記湯流入口の位置において前記ユニット挿入筒部で開口した湯側接続路を、前記湯流入筒部及び該ユニット挿入筒部の筒壁を貫通して設けたことを特徴とする湯水混合水栓。
【請求項２】
請求項１において、前記ユニット挿入筒部と前記水流入筒部及び湯流入筒部が何れも直線状に延びていることを特徴とする湯水混合水栓。
【請求項３】
請求項１，２の何れかにおいて、前記水流入筒部と湯流入筒部とが、前記ユニット挿入筒部の軸方向の同じ位置に設けてあることを特徴とする湯水混合水栓。
【発明の詳細な説明】
【技術分野】
【０００１】
この発明は湯水混合水栓に関し、詳しくは混合弁ユニットを内部に収容し保持する本体ボデーの構造に特徴を有するものに関する。
【背景技術】
【０００２】
従来、湯水混合水栓として、円筒状の弁ケースとその内部の混合弁体とをユニット化して成る混合弁ユニットを、本体ボデーの内部に収容し保持した形態のものが公知である。
従来、この種の湯水混合水栓として、函体状をなす本体ボデー内に隔壁を本体ボデーに一体に設けて、その隔壁にて本体ボデー内を複数の空間に区画したもの、詳しくはその隔壁にて本体ボデー内に、混合弁ユニットに向けて水を流入させる水流入路，湯を流入させる湯流入路、更に湯水の混合室，混合水の流出路等を区画形成するようにしたものが多い。
【０００３】
例えば下記特許文献１に、この種の湯水混合水栓が開示されている。
図９はその具体例を示している。
図９において、２００は函体状をなす本体ボデー、２０２は本体ボデー２００内に挿入されて保持された混合弁ユニット，２０４は温調用（温度調節用）のハンドルである。
混合弁ユニット２０２は、弁ケース２０６と、その内側に配置された混合弁体２０８とを有している。弁ケース２０６には水流入口２１０が設けられている。
【０００４】
本体ボデー２００内には、隔壁２１２，２１４，２１６が本体ボデー２００に一体に設けられており、それら隔壁２１２，２１４，２１６にて本体ボデー２００内部に、混合弁ユニット２０２に向って水，湯をそれぞれ流入させる水流入路２１８，湯流入路２２０，更に湯と水を混合する混合室２２２，混合水を流出させる流出路２２４等が区画形成されている。
【０００５】
隔壁２１２には嵌合孔２２６が設けられ、そこに本体ボデー２００内部に挿入された混合弁ユニット２０２が嵌合され、保持されている。
【０００６】
従来において、本体ボデー内に一体に設けた隔壁にてその内部空間を水流入路，湯流入路，混合室，混合水の流出路等に区画した形態の湯水混合水栓では、本体ボデーにおける内部構造が複雑な構造となる。
そこで従来にあっては、本体ボデーを鋳物にて構成している。即ち本体ボデーを鋳造にて成形加工している。
【０００７】
しかしながら鋳造による本体ボデーの成形加工では、本体ボデーを得るための工程数が多くなり、必然的にコストが高くなる。
また必然的に本体ボデーが大型となるため、その設置施工も大変となる。
【先行技術文献】
【特許文献】
【０００８】
【特許文献１】特公昭６１−３９５５２号公報
【発明の概要】
【発明が解決しようとする課題】
【０００９】
本発明は以上のような事情を背景とし、本体ボデーの構造を簡素化して所要コストを低コストとすることができ、また本体ボデーを小型化し得て設置施工も容易に行うことのできる湯水混合水栓を提供することを目的としてなされたものである。
【課題を解決するための手段】
【００１０】
而して請求項１のものは、(ａ)円筒状の弁ケースの内部に混合弁体を収め、軸方向の異なった位置で該弁ケースに設けた水流入口と湯流入口とを、該混合弁体の移動により大小逆の関係で開度変化させて湯水の混合比率を変化させる混合弁ユニットと、(ｂ)該混合弁ユニットを内部に収容する本体ボデーと、を備えて成り、前記本体ボデーは、円筒状をなし、前記混合弁ユニットを軸方向に挿入させて該混合弁ユニットを内嵌状態に内部に保持するとともに、湯水の混合室及び混合水の流出路を内部に形成するユニット挿入筒部と、該ユニット挿入筒部を間にしてその両外側で該ユニット挿入筒部の軸方向と交差方向にそれぞれ延び、内部に水流入路を形成する水流入筒部と、内部に湯流入路を形成する湯流入筒部と、を一体に有するものとなし、前記本体ボデーには、一端が前記水流入路で開口し、他端が前記水流入口の位置において前記ユニット挿入筒部で開口した水側接続路を、前記水流入筒部及び該ユニット挿入筒部の筒壁を貫通して設け、また、一端が前記湯流入路で開口し、他端が前記湯流入口の位置において前記ユニット挿入筒部で開口した湯側接続路を、前記湯流入筒部及び該ユニット挿入筒部の筒壁を貫通して設けたことを特徴とする。
【００１１】
請求項２のものは、請求項１において、前記ユニット挿入筒部と前記水流入筒部及び湯流入筒部が何れも直線状に延びていることを特徴とする。
【００１２】
請求項３のものは、請求項１，２の何れかにおいて、前記水流入筒部と湯流入筒部とが、前記ユニット挿入筒部の軸方向の同じ位置に設けてあることを特徴とする。
【発明の作用・効果】
【００１３】
以上のように本発明は、ユニット挿入筒部と水流入筒部と湯流入筒部との３つの筒部を本体ボデーに一体に構成し、そしてユニット挿入筒部に混合弁ユニットを挿入してこれを内嵌状態に内部に保持させるとともに、ユニット挿入筒部の内部に湯水の混合室と混合水の流出路とを形成し、そして水流入筒部の内部空間を水流入路とし、また湯流入筒部の内部空間を湯流入路とした上、ユニット挿入筒部及び水流入筒部の筒壁を貫通して水側接続路を、また湯流入筒部及びユニット挿入筒部の筒壁を貫通して湯側接続路をそれぞれ設けたものである。
【００１４】
本発明によれば、本体ボデーに３つの筒部と筒壁を貫通する孔、即ち水側接続路と湯側接続路とを設けるだけで本体ボデーに所要の機能を付与することができる。
これにより本体ボデーにおける内部構造を簡素化することができ、本体ボデーに要するコストを低減することができる。本発明によれば、本体ボデーを得るための加工手段として鍛造加工を用いることも可能である。
また本発明によれば、本体ボデー全体をコンパクト化することができ、本体ボデーを含む湯水混合水栓の設置施工を容易化することができる。
【００１５】
本発明では、上記ユニット保持筒部，水流入筒部，湯流入筒部を何れも直線状（曲りの無い直筒状）に延びる形態で設けておくことができる（請求項２）。
このようにすれば、３つの筒部の加工形成が容易となる。
【００１６】
本発明ではまた、水流入筒部と湯流入筒部とを、ユニット保持筒部の軸方向の同じ位置に設けておくことができる（請求項３）。
【図面の簡単な説明】
【００１７】
【図１】本発明の一実施形態の湯水混合水栓を示した図である。
【図２】図１の湯水混合バルブの内部構造を示した図である。
【図３】図２の混合弁ユニットを拡大して示した図である。
【図４】図３の要部を更に拡大して示した図である。
【図５】図４のＶ−Ｖ断面図である。
【図６】同実施形態における本体ボデーとクランク脚とを分離した状態で示した斜視図である。
【図７】（Ａ）図６の本体ボデーの平面図である。（Ｂ）本体ボデーを図６とは異なる方向から示した斜視図である。
【図８】図６の本体ボデーの内部の形状を切り欠いて示した図である。
【図９】従来の湯水混合水栓の一例を示した図である。
【発明を実施するための形態】
【００１８】
次に本発明の実施形態を図面に基づいて詳しく説明する。
図１において、１０は本実施形態の湯水混合水栓（以下単に水栓とすることがある）で、カウンタ等の取付基体上に配置される吐水部１２と、取付基体の下側に配置される制御機能部１４と、更にその下側に配置される温調機能部１６とを有している。
吐水部１２は、先端側（上端側）に吐水口１８を備えた吐水管２０を有している。この吐水部１２においては、吐水管２０が台座部２２を介して取付基体上に設置されるようになっている。
吐水管２０には、水槽の排水口を開閉するポップアップ排水栓を操作する引き棒２４が設けられており、また先端側には、差し出された手を検知する人体検知センサ２６が吐水口１８の上側位置に設けられている。
【００１９】
この実施形態において、水栓１０は自動水栓で、人体検知センサ２６による人体検知に基づいて吐水口１８から自動的に吐水を行う。
この例の水栓１０はまた、吐水から止水に若しくはその逆に手動で切替操作する切替スイッチを有している。台座部２２にはそのためのスイッチ操作部２８が備えられている。
【００２０】
吐水管２０からは雄ねじ管３０が下向きに延び出している。吐水管２０は、その雄ねじ管３０を取付基体の取付孔に挿通し、そして取付基体の裏側（下側）で雄ねじ管３０に固定ナット３２をねじ込むことで、取付基体上に固定される。
詳しくは、雄ねじ管３０にねじ込まれた固定ナット３２と台座部２２との間に取付基体をパッキン３４を介し上下に挟み込む状態に、取付基体上に固定される。
【００２１】
吐水管２０からはまた、雄ねじ管３０の内部を通って給水チューブ３６及び電気配線３８，４０が下向きに延び出しており、それらが上記の制御機能部１４に接続されている。
制御機能部１４は、カバー４２の内側に吐止水弁としての電磁弁４４と、これを作動制御する制御基板４６とを有している。
制御機能部１４は、人体検知センサ２６からの信号若しくはスイッチ操作部２８の操作によるスイッチ信号に基づいて、吐水口１８からの吐水を行わせ又はその吐水を停止させる。即ち止水させる。
【００２２】
制御機能部１４の下側の上記の温調機能部１６は、カバー４８の内側に、壁から突き出した水側のクランク脚５０及び湯側のクランク脚５２（図５及び図６参照）に接続された湯水混合バルブ５４を有している。
この湯水混合バルブ５４からは温調ハンドル５６が下向きに突き出している。
【００２３】
この例において、湯水混合バルブ５４はサーモスタット式（自動温度調節機能付き）のもので、その内部構造が図２及び図３に詳しく示してある。
これらの図において、５８は金属製（ここでは真ちゅう製）の本体ボデーで、円筒状をなすユニット挿入筒部６０を有しており、そこに混合弁ユニット６２が図中下方から上向きに挿入され、かかる混合弁ユニット６２がユニット挿入筒部６０内に内嵌状態に保持されている。
【００２４】
混合弁ユニット６２は、円筒状をなす弁ケース６４と、その内部に軸方向（図中上下方向）に移動可能に設けられた混合弁体７４とを有しており、弁ケース６４に設けられた雄ねじ部において、ユニット挿入筒部６０の図中下部の雌ねじ部にねじ結合されている。
混合弁体７４は水側弁部７６と湯側弁部７８とを有しており、それらが図中上下方向に一体に移動する。
ここで水側弁部７６，湯側弁部７８は何れも円筒状を成している。
【００２５】
弁ケース６４には、軸方向に互いに離隔した位置に水流入口６６，湯流入口６８が形成されており、これら水流入口６６，湯流入口６８を通じて水，湯が弁ケース６４内部に流入する。
流入した水と湯とは、後述するばね受８２の内部に形成された混合室７０、即ちユニット挿入筒部６０内部に形成された混合室７０で混合された後、その混合水が、同じくユニット挿入筒部６０内部に形成された流出路７２を通じて上記吐水部１２に向け図中上方に流出せしめられる。
【００２６】
水流入口６６，湯流入口６８の開度は、混合弁体７４の水側弁部７６，湯側弁部７８にて互いに逆の関係で開度変化せしめられる。即ち水流入口６６，湯流入口６８からの水と湯の流入量が大小逆の関係で増減変化せしめられる。これにより混合室７０での水と湯との混合比率が変化し、混合水温度が高低変化する。
【００２７】
混合室７０には、形状記憶合金製のコイル形状の感温ばね８０が収容されており、その付勢力を軸方向の押圧力として混合弁体７４に対し図中下向きに、即ち湯側弁部７８を閉弁させ、水側弁部７６を開弁させる方向に及ぼしている。
この形状記憶合金製の感温ばね８０は、混合室７０内部の混合水温度に応じて伸縮し、混合水温度が設定温度となるように図中下向きの付勢力を変化させて、混合弁体７４の位置を自動的に微調節する。
【００２８】
８２は、混合室７０を内部に形成するとともに、感温ばね８０の一端を当接させるばね受で、図中下端に外向きの係合爪８４を有し、その係合爪８４を弁ケース６４の係合孔８６に係合させることで、弁ケース６４に組み付けられている。
【００２９】
９０は弁軸で、先端部（図中上端部）に雄ねじ部が設けられている。そしてこの雄ねじ部が、混合弁体７４の円筒部８８内側に形成された雌ねじ部にねじ込まれている。
これにより、湯側弁部７８とは別体に構成された水側弁部７６が、弁軸９０に装着された止め輪９２を介して弁軸９０により円筒部８８に押し付けられ、湯側弁部７８に対して固定され組み付けられている。
【００３０】
この実施形態において、混合弁体７４は通常の金属製のコイルばねから成るバイアスばね９４，９６にて図中上向き、即ち湯側弁部７８を開弁させ、水側弁部７６を閉弁させる方向に付勢されており、また混合室７０内に設けられた感温ばね８０にてこれとは逆方向の図中下向き、即ち湯側弁部７８を閉弁させ、水側弁部７６を開弁させる方向に付勢されている。
混合弁体７４は、感温ばね８０による図中下向きの付勢力と、バイアスばね９４，９６による図中上向きの付勢力とが吊り合う位置に保持される。
【００３１】
図３に示しているように、混合弁ユニット６２は、弁ケース６４に組み付けられた回転操作軸９８を有している。
この回転操作軸９８は、混合弁体７４を弁ケース６４の内部で軸方向、即ち図中上下方向に移動させて混合水温度を設定操作するためのもので、弁ケース６４から図中下向きに突き出した外部に、外周面が雄セレーション部とされたハンドル連結部１００を有しており、そのハンドル連結部１００において温調ハンドル５６に一体回転状態に連結されている。
【００３２】
回転操作軸９８は、弁ケース６４の内部において大径の円筒部１０２を有している。
この円筒部１０２の内周面には雌ねじ部が形成されており、そこに円筒形状をなす駆動部材１０４が、外周面の雄ねじ部において螺合されている。
この駆動部材１０４は、回転操作軸９８の回転操作によって、ねじ送りで軸方向即ち図中上下方向に進退移動させられる。
【００３３】
この駆動部材１０４と混合弁体７４との間には、ストッパリング１０６，ばね受１０８を介して上記のバイアスばね９６，９４が介在させられており、バイアスばね９６，９４の図中上向きの付勢力が混合弁体７４に対して図中上向きに及ぼされている。
【００３４】
この実施形態では、駆動部材１０４を図中上向きに前進移動させる向きに回転操作軸９８を回転操作すると、ストッパリング１０６を介してバイアスばね９６，９４が圧縮せしめられ、混合弁体７４に対する図中上向きの付勢力を増大させる。
また回転操作軸９８を逆方向に回転操作すると、駆動部材１０４が図中下向きに後退移動させられて、バイアスばね９６，９４が伸びる方向に変位し、混合弁体７４に対する図中上向きの付勢力を弱くする。
【００３５】
この例の混合弁ユニット６２では、このようにして回転操作軸９８を正方向又は逆方向に回転操作することで、混合弁体７４に対するバイアスばね９６，９４の図中上向きの付勢力と、感温ばね８０の図中下向きの付勢力との吊り合い位置が図中上下方向に変化し、これに伴って混合弁体７４の位置が図中上下方向にシフトせしめられ、混合水の温度が設定ないし設定変更される。
【００３６】
その状態の下で混合室７０内の混合水温度が設定温度に対して高温側又は低温側に変化すると、バイアスばね８０の付勢力が変化して混合弁体７４の位置が微動せしめられ、混合水温度が設定温度に自動調節される。
【００３７】
上記本体ボデー５８は、円筒状のユニット挿入筒部６０を間にして、その両外側位置に、一端側が閉じた有底円筒状の水流入筒部１１０と湯流入筒部１１２とを一体に有している。
これら水流入筒部１１０，湯流入筒部１１２は、それぞれユニット挿入筒部６０の軸方向の同じ位置に設けられ、それぞれがユニット挿入筒部６０の軸方向に対して直交方向に延びる形態で設けられている。
ここでユニット挿入筒部６０は、図２及び図３中上下方向に直線状に（詳しくは中心軸線が直線状となるように）直筒形状に形成されている。
同様に水流入筒部１１０，湯流入筒部１１２もまた、図５，図６，図７に示しているように、ユニット挿入筒部６０に対して直交方向に直線状に（詳しくはそれぞれの中心軸線が直線状となるように）直筒状に形成されている。
【００３８】
これら水流入筒部１１０，湯流入筒部１１２の内部には、断面円形の水流入路１１４，湯流入路１１６が形成されている。
水流入筒部１１０，湯流入筒部１１２は、図５に示しているようにそれぞれその中心軸線がユニット挿入筒部６０の中心軸線に対して、これを軸直角方向に通過するように設けられている。
【００３９】
そしてそれぞれの端部には、図６〜図８に示すように雄ねじ部１１８が設けられており、その雄ねじ部１１８において、壁から突き出した給水配管，給湯配管を兼ねた水側のクランク脚５０，湯側のクランク脚５２に対して袋ナット１２０により接続されており、クランク脚５０，５２からの水，湯が、水流入筒部１１０内の水流入路１１４、湯流入筒部１１２内の湯流入路１１６へとそれぞれ供給されるようになっている。
【００４０】
尚図５に示しているように、水流入筒部１１０と水側のクランク脚５０との接続部且つ水流入筒部１１０内部には、クランク脚５０から水流入筒部１１０側への水の流入のみを許容し、逆方向の流れを阻止する逆止弁１２２が組み込まれている。
同様に湯流入筒部１１２と湯側のクランク脚５２との接続部且つ湯流入筒部１１２内部には、クランク脚５２から湯流入筒部１１２側への湯の流入のみを許容し、逆方向の流れを阻止する逆止弁１２４が組み込まれている。
尚、図６に示しているようにクランク脚５０，５２は付根側に止水栓１３８が組み込んである。
【００４１】
図２，図３及び図４に示しているように、上記ユニット挿入筒部６０の内面には、水流入口６６の位置する軸方向位置（ユニット挿入筒部６０の軸方向位置）で、混合弁ユニット６２の弁ケース６４を取り囲む環状溝１２６が設けられており、また湯流入口６８の位置する軸方向位置で、弁ケース６４を取り囲む環状溝１２８が設けられている。
【００４２】
一方、水流入筒部１１０には、図２，図３，図４及び図８に示すように、これを内面側から環状溝１２６に到るまで外面側に向って断面円弧形状でえぐって成るえぐり部１３０が設けられており、これら環状溝１２６とえぐり部１３０とで、一端が水流入路１１４で開口し、他端が水流入口６６と同じ軸方向位置でユニット挿入筒部６０の内面で開口する水側接続路１３２が形成されている。
【００４３】
同様に湯流入筒部１１２にもまた、これを内面側から環状溝１２８に到るまで外面側に向って断面円弧形状でえぐって成るえぐり部１３４が設けられており、それら環状溝１２８とえぐり部１３４とで、一端が湯流入路１１６で開口し、他端が湯流入口６８と同じ軸方向位置でユニット挿入筒部６０の内面で開口した湯側接続路１３６が形成されている。
【００４４】
即ち本体ボデー５８には、水流入路１１４と水流入口６６とを連通させる水側接続路１３２が、水流入筒部１１０及びユニット挿入筒部６０の筒壁（ここでは共通の筒壁）を貫通して設けられている。
また湯流入路１１６と湯流入口６８とを連通させる湯側接続路１３６が、湯流入筒部１１２及びユニット挿入筒部６０の筒壁（共通の筒壁）を貫通して設けられている。
【００４５】
この実施形態では、水流入筒部１１０と湯流入筒部１１２とが、即ちその内部の水流入路１１４と湯流入路１１６とが、ユニット挿入筒部６０の軸方向の同じ位置に設けられているが、それら水流入路１１４，湯流入路１１６に連通した水側接続路１３２，湯側接続路１３６が、それぞれユニット挿入筒部６０の軸方向の異なった位置で、水流入筒部１１０とユニット挿入筒部６０の筒壁，及び湯流入筒部１１２とユニット挿入筒部６０の筒壁を貫通して設けられている。
【００４６】
この実施形態では、水側のクランク脚５０からの水と湯側のクランク脚５２からの湯とが、先ず水流入筒部１１０，湯流入筒部１１２内の水流入路１１４，湯流入路１１６内に流入する。
水流入路１１４に流入した水は、続いて水側接続路１３２を通じて混合弁ユニット６２の弁ケース６４内に水流入口６６から流入する。
また湯流入路１１６内に流入した湯が、湯側接続路１３６を通じて混合弁ユニット６２の弁ケース６４内に湯流入口６８から流入する。
その際の水の流入量と湯の流入量とは、混合弁体７４の動作によって調節される。
流入した水と湯とは混合室７０で混合され、そして混合水が流出路７２から図１の制御機能部１４を経て給水チューブ３６により吐水管２０内へと流入し、そして吐水口１８から下向きに吐水される。
【００４７】
この実施形態において、本体ボデー５８はその粗形品を鍛造加工にて成形加工することが可能である。
その鍛造加工に際しては、ユニット挿入筒部６０についてはこれを内部中空の筒状に、また水流入筒部１１０，湯流入筒部１１２については、これを内部まで金属で埋った中実構造で外形形状のみを成形しておくことができる。
【００４８】
その後において水流入筒部１１０，湯流入筒部１１２について切削による穴開け加工を行って、水流入路１１４，湯流入路１１６を形成することで、本来の内部中空の筒形状に加工形成することができる。
そしてその後に断面円弧形状のえぐり部１３０，１３４を切削加工にて形成することで、上記の水側接続路１３２，湯側接続路１３６を形成することができる。
尚、ユニット挿入筒部６０の内部は軸方向に沿って複数の段付部を有する段付形状をしているが、その段付形状については鍛造加工後に切削加工にて形成することができる。
【００４９】
以上のような本実施形態によれば、本体ボデー５８にユニット挿入筒部６０，水流入筒部１１０，湯流入筒部１１２の３つの筒部と筒壁を貫通する孔、即ち水側接続路１３２と湯側接続路１３６とを設けるだけで、本体ボデー５８に所要の機能を付与することができる。
これにより本体ボデー５８における内部構造を簡素化することができ、本体ボデー５８に要するコストを低減することができる。
また本実施形態によれば、本体ボデー５８全体をコンパクト化することができ、本体ボデー５８を含む湯水混合水栓１０の設置施工を容易化することができる。
【００５０】
以上本発明の実施形態を詳述したがこれはあくまで一例示であり、本発明では水流入筒部，湯流入筒部をユニット挿入筒部に対して直角以外の角度で交差するように設けることもできるし、また水流入筒部，湯流入筒部を円筒形状以外の筒形状で形成することも可能である。
更に上記実施形態では、混合弁ユニットがサーモスタット付きのものとして構成されているが、そのようなサーモスタット機能を有しない混合弁ユニットとして構成しておくことも可能である。
更に上記実施形態では混合水が湯水混合バルブから上向きに流出し、また温調ハンドルがその下端に設けられているが、それらの位置関係を上下逆にすることも可能である等、本発明はその趣旨を逸脱しない範囲において種々変更を加えた形態で構成可能である。
【符号の説明】
【００５１】
５８  本体ボデー
６０  ユニット挿入筒部
６２  混合弁ユニット
６４  弁ケース
６６  水流入口
６８  湯流入口
７０  混合室
７２  流出路
７４  混合弁体
１１０  水流入筒部
１１２  湯流入筒部
１１４  水流入路
１１６  湯流入路
１２６，１２８  環状溝
１３２  水側接続路
１３６  湯側接続路
【図１】
2014145432.tif 000003
【図２】
2014145432.tif 000004
【図３】
2014145432.tif 000005
【図４】
2014145432.tif 000006
【図５】
2014145432.tif 000007
【図６】
2014145432.tif 000008
【図７】
2014145432.tif 000009
【図８】
2014145432.tif 000010
【図９】
2014145432.tif 000011